(57)【要約】【課題】  カメラ付きインターホンユニットを造営面から取り外さずに、手動により撮像方向を水平方向に容易に調整できるカメラ付きインターホンユニットを提供する。【解決手段】  カメラ付きインターホンユニット１は、ベース３及び背面カバー４を備えた本体部２と、本体部２に水平方向に直交する方向に回転自在かつ本体部２の前面方向を撮像方向として備えられる撮像カメラ部５と、本体部２の背面カバー４から露出され、撮像カメラ部５の撮像方向を水平方向に直交する方向に調整するための操作つまみと、本体部２を造営面に取り付けるための取付台７とからなり、本体部２の上部に備えた軸受け部３ａ及び下部に備えた挿通孔と、取付台７の上部に備えた軸部７ｅ及び下部に水平方向に回転自在に備えた取付部７ｄとを用いて、本体部２を取付台７に対して水平方向に回転自在に取り付けてある。【選択図】図１
2005236671.tif 000002
【特許請求の範囲】
【請求項１】
撮像カメラ部を具備し前面方向を撮像方向として構成された本体部と、前記本体部を支持して造営面に取り付けられる取付台とからなり、前記本体部を前記取付台に対して水平方向の角度を調整する角度調整手段を具備していることを特徴とするカメラ付きインターホンユニット。
【請求項２】
撮像カメラ部を具備し前面方向を撮像方向として構成された本体部と、前記本体部を支持して造営面に取り付けられる取付台とからなり、前記撮像カメラ部を前記本体部に対して水平方向の角度を調整する角度調整手段を具備していることを特徴とするカメラ付きインターホンユニット。
【請求項３】
前記角度調整手段は、一方に設けられた水平方向回転用軸部と、他方に前記水平方向回転用軸部と対応して設けられて、前記水平方向回転用軸部を回転自在に支持する軸受け部とからなることを特徴とする請求項１又は２記載のカメラ付きインターホンユニット。
【請求項４】
前記本体部に、少なくとも前面が開口し、前記撮像カメラ部を載置する底部を前記前面に対して直交して有する収納部を設け、前記角度調整手段は、前記撮像カメラ部を前記底部に水平方向に回転自在に支持する軸部と、前記底部に前記撮像カメラ部の回転中心から放射状に突設された複数のリブと、前記底部と対向する前記撮像カメラ部の底面に前記リブを乗り越え自在に形成された位置決め凸部とからなることを特徴とする請求項２記載のカメラ付きインターホンユニット。
【請求項５】
前記本体部に、少なくとも前面開口で前記撮像カメラ部を収納する収納部を設け、前記角度調整手段は、前記撮像カメラ部の一方の側部に設けられた被支持部と、前記収納部に設けられ、前記被支持部で前記撮像カメラ部を水平方向に回転自在に支持する支持部と、前記撮像カメラ部の他方の側部にその前端部から後端部にかけて複数設けられた被係止部と、前記収納部に設けられ、前記被係止部のいずれか１つを係止する係止部とからなることを特徴とする請求項２記載のカメラ付きインターホンユニット。
【請求項６】
前記撮像カメラ部の両側部に前記被支持部及び前記被係止部を設け、前記撮像カメラ部は、前記撮像カメラ部のいずれか一方の被支持部を前記支持部により水平方向に回転自在に支持され、他方の側部に設けられた前記被係止部を前記係止部により係止されていることを特徴とする請求項５記載のカメラ付きインターホンユニット。
【請求項７】
前記被支持部は、前記撮像カメラ部の側部の前端角部に設けられ、前記支持部及び前記係止部は、前記収納部の前端角部に設けられていることを特徴とする請求項５又は６記載のカメラ付きインターホンユニット。
【請求項８】
前記支持部及び前記係止部は、それぞれ前記収納部の内側に突出する突起部からなり、前記被支持部及び前記被係止部は、それぞれ縦方向の溝からなるとともに、前記被支持部は前記被係止部より深く形成されていることを特徴とする請求項５乃至７いずれか記載のカメラ付きインターホンユニット。
【請求項９】
前記収納部は、前記収納部の各後端角部から各前端角部に前記収納部の側部に沿って、弾性を有して互いに並行に突設された一対の突設片を備え、前記支持部は、一方の前記突設片の先端部に形成され、前記係止部は、他方の前記突設片の先端部に形成され、少なくとも両側部を備えて前記撮像カメラ部を保護するカメラカバーは、該両側部で前記一対の突設片の外側から前記撮像カメラ部を狭持するように被着されて、前記一対の突設片を撮像カメラ部側に押圧していることを特徴とする請求項５記載のカメラ付きインターホンユニット。
【請求項１０】
前記本体部に、少なくとも前面及び上面が開口し、前記撮像カメラ部を載置する底部を前記前面に対して直交して有する収納部を設け、前記角度調整手段は、前記底部に載置される前記撮像カメラ部の底面に突設された一対の凸部と、前記一対の凸部間の間隔と同じ間隔を有して前記底部に複数設けられた一対の凹部とからなり、前記撮像カメラ部を収納保護するカメラカバーには、その底面に前記一対の凸部を外部へ突出する開口部が設けられ、前記撮像カメラ部は、前記開口部から前記一対の凸部を外部へ突出した状態で、前記カメラカバーに水平方向に移動自在に収納され、前記カメラカバーは、前記収納部に上下方向に一定距離移動可能に設けられ、前記カメラカバーを下方向に移動させた状態で前記撮像カメラ部の前記一対の凸部を前記底部に設けられたいずれか一対の凹部に選択的に係止させ、前記カメラカバーを上方向に移動させた状態で、前記一対の凸部を前記一対の凹部から離脱させることを特徴とする請求項２記載のカメラ付きインターホンユニット。
【発明の詳細な説明】
【技術分野】
【０００１】
本発明は、監視、防犯、来客対応等の用途に用いられるカメラ付きインターホンユニットに関する。
【背景技術】
【０００２】
従来のカメラ付きインターホンユニットとしては、水平方向に直交する方向又は水平方向にカメラの撮像方向を調整する手段としてギア駆動機構を備え、このギア駆動機構を電気的に操作するだけでなく、ドアホン子器の本体部の裏側部に調整穴を設けて直接ギア駆動機構を操作することで手動によりカメラの撮像方向を調整可能としたものが提供されている（特許文献１）。
【０００３】
一方、図９に示すようなカメラ付きインターホンユニット１は、ベース３及び背面カバー４を備えた本体部２と、本体部２の前面方向を撮像方向として、水平方向に直交する方向に回転自在に備えられた撮像カメラ部５と、本体部２の背面カバー４から露出され、撮像カメラ部５の撮像方向を水平方向に直交する方向に調整するための操作つまみ６と、本体部２を壁、門柱、表札内等の造営面に取り付けるための取付台７とからなり、本体部２を取付台７に取付ねじ８を用いて固着して構成されている。
【０００４】
撮像カメラ部５は、撮像素子（図示せず）を収納した撮像部５ａと、前面にレンズを備えて撮像部５ａの前部から突設されたレンズ部５ｂと、撮像部５ａの両側部から水平方向に同軸となるように突設されて本体部２に回転自在に支持される軸部５ｃとを備え、撮像カメラ部５の背部には操作つまみ６が固着されている。
【０００５】
本体部２は、背面が開口した箱状のベース３、及び平板状に形成されてベース３の背面に被着される背面カバー４からなる筐体と、前記筐体の上部に軸部５ｃにより水平方向に直交する方向に回転自在に支持される撮像カメラ部５と、前記筐体の中部に配設されるスピーカ部９と、前記筐体の下部に配設される呼出しボタン１０と、これらを駆動するための音声回路や画像伝送回路等を具備した回路部（図示せず）と、取付ねじ８により本体部２を取付台７に取り付けるためのねじ孔を備えて構成され、ベース３の前面上部から撮像カメラ部５のレンズ部５ｂを露出して、ベース３の前面方向である本体部２の前面方向が撮像方向となるようにしてある。加えて、ベース３の前面上部のレンズ部５ｂを露出した部位には、可視光を透過する樹脂製のカバー１１を設けてレンズ部５ｂを保護し、さらに背面カバー４の上部に調整孔（図示せず）を形成して、この調整孔から操作つまみ６を直接操作可能に露出し、撮像カメラ部５の撮像方向を水平方向に直交する方向に調整可能としてある。
【０００６】
取付台７は、長方形状の枠体７ａと、上端側及び下端側にそれぞれ前記造営面に取り付けるための穴部７ｂを備え、中央部が開口した背板７ｃと、背板７ｃの下端中央部に設けられ、本体部２の前記ねじ孔と連通して取付ねじ８が螺入されるねじ孔７ｈを備えた取付部７ｄとから構成されている。
【特許文献１】特開平１１−２６１８５４号公報（第２図）
【発明の開示】
【発明が解決しようとする課題】
【０００７】
カメラ付きインターホンユニットは、壁、門柱、表札ユニット内等の様々な箇所の造営面に取付台を介して設置されるため、その設置高さによっては、来客を撮像範囲の鉛直範囲内に正しく捉えることができず、かかる問題を解決するために、上述の両者は、手動により撮像方向の水平方向に直交する方向の角度調整を可能としていた。
【０００８】
また、上述の両者は、造営面から取り外さなければ水平方向に直交する方向の角度調整を行えないが、水平方向に直交する方向の撮像方向の調整は、カメラ付きインターホンユニットの設置高さに応じて、子供から大人までの範囲を撮像できるように角度の調整を行うことを目的とし、カメラ付きインターホンユニットを設置する専門業者による角度設定で十分要求を満足できていた。
【０００９】
しかし、近年玄関口の形態、特に門柱付近の形態が多様化し、そのため、カメラ付きインターホンユニットを設置可能な造営面の場所が制限され、適切な位置に設置することが困難となり、カメラ付きインターホンユニットの設置場所によっては、来客を撮像範囲の水平範囲内においても正しく捉えられないという問題が生じていた。そのため、上述の前者は、水平方向に直交する方向若しくは水平方向のいずれかの方向を選択して撮像方向の角度を調整することを可能としている。しかし、水平方向の撮像方向の調整は、水平方向に直交する方向の撮像方向の調整とは異なり、カメラ付きインターホンユニットを設置する専門業者による角度設定では要求を十分に満足させることができず、使用者が個別に適切な撮像方向の角度に調整することが望まれている。そのため、水平方向の角度調整は容易に行えることが好ましいが、上述の前者において水平方向の角度を調整するためには、カメラ付きインターホンユニットを造営面から取り外さなければならず、この取り外し作業は、実際はきわめて困難で現実的でないため、水平方向の角度の調整を行うことがきわめて困難になるという問題があった。
【００１０】
本発明は上述の点に鑑みて為されたもので、その目的は、カメラ付きインターホンユニットを造営面から取り外さずに手動により撮像方向を水平方向に容易に調整できるカメラ付きインターホンユニットを提供することである。
【課題を解決するための手段】
【００１１】
上述の課題を解決するために、請求項１の発明では、撮像カメラ部を具備し前面方向を撮像方向として構成された本体部と、前記本体部を支持して造営面に取り付けられる取付台とからなり、前記本体部を前記取付台に対して水平方向の角度を調整する角度調整手段を具備していることを特徴とするカメラ付きインターホンユニットとした。
【００１２】
請求項１の発明によれば、取付台を造営面に取り付けた後でも、造営面の位置にあわせて撮像方向を水平方向に角度調整することができ、使用者の所望する撮像範囲を得ることができる。
【００１３】
請求項２の発明では、撮像カメラ部を具備し前面方向を撮像方向として構成された本体部と、前記本体部を支持して造営面に取り付けられる取付台とからなり、前記撮像カメラ部を前記本体部に対して水平方向の角度を調整する角度調整手段を具備していることを特徴とするカメラ付きインターホンユニットとした。
【００１４】
請求項２の発明によれば、本体部を造営面に取り付けた後でも、本体部が取り付けられた造営面の位置にあわせて撮像方向の水平方向の角度を調整でき、これにより、使用者の所望の撮像方向を得ることができ、また、撮像カメラ部のみが本体部から外側へ突出することになるため、本体部ごと突出させる場合に比べて違和感が無くなるとともに、見栄え良く設置することができる。
【００１５】
請求項３の発明では、請求項１又は２いずれか記載の発明の構成に加えて、前記角度調整手段は、一方に設けられた水平方向回転用軸部と、他方に前記水平方向回転用軸部と対応して設けられて、前記水平方向回転用軸部を回転自在に支持する軸受け部とからなることを特徴とするカメラ付きインターホンユニットとした。
【００１６】
請求項３の発明によれば、水平方向に回転自在に角度調整を行えるため、細かく角度調整を行うことができ、これにより使用者の所望する撮像方向を確実に得ることができる。
【００１７】
請求項４の発明では、請求項２の発明の構成に加えて、前記本体部に、少なくとも前面が開口し、前記撮像カメラ部を載置する底部を前記前面に対して直交して有する収納部を設け、前記角度調整手段は、前記撮像カメラ部を前記底部に水平方向に回転自在に支持する軸部と、前記底部に前記撮像カメラ部の回転中心から放射状に突設された複数のリブと、前記底部と対向する前記撮像カメラ部の底面に前記リブを乗り越え自在に形成された位置決め凸部とからなることを特徴とするカメラ付きインターホンユニットとした。
【００１８】
請求項４の発明によれば、本体部に設けた収納部の底部に突設した放射状のリブと撮像カメラ部の底面に形成した位置決め凸部により、撮像カメラの水平方向の角度を予め決められた値に容易に調整できるため、角度調整にかかる時間を大幅に短縮することができる。
【００１９】
請求項５の発明では、請求項２記載の発明の構成に加えて、前記本体部に、少なくとも前面開口で前記撮像カメラ部を収納する収納部を設け、前記角度調整手段は、前記撮像カメラ部の一方の側部に設けられた被支持部と、前記収納部に設けられ、前記被支持部で前記撮像カメラ部を水平方向に回転自在に支持する支持部と、前記撮像カメラ部の他方の側部にその前端部から後端部にかけて複数設けられた被係止部と、前記収納部に設けられ、前記被係止部のいずれか１つを係止する係止部とからなることを特徴とするカメラ付きインターホンユニットとした。
【００２０】
請求項５の発明によれば、撮像カメラ部の一方の側部に設けられた被支持部と該被支持部を支持する収納部の支持部を回転軸として、撮像カメラ部の他方の側部に複数設けた被係止部を選択的に収納部の係止部に係止させることで、撮像カメラ部の撮像方向の角度調整を行うことができる。
【００２１】
請求項６の発明では、請求項５の発明の構成に加えて、前記撮像カメラ部の両側部に前記被支持部及び前記被係止部を設け、前記撮像カメラ部は、前記撮像カメラ部のいずれか一方の被支持部を前記支持部により水平方向に回転自在に支持され、他方の側部に設けられた前記被係止部を前記係止部により係止されていることを特徴とするカメラ付きインターホンユニットとした。
【００２２】
請求項６の発明によれば、撮像カメラ部の両側部に被支持部及び被係止部を設けたことにより、必要に応じて撮像方向の角度調整を行う回転軸を選択することができ、これにより、撮像方向の角度調整を広範囲にわたって行うことができる。
【００２３】
請求項７の発明では、請求項５又は６の発明の構成に加えて、前記被支持部は、前記撮像カメラ部の側部の前端角部に設けられ、前記支持部及び前記係止部は、前記収納部の前端角部に設けられていることを特徴とするカメラ付きインターホンユニットとした。
【００２４】
請求項７の発明によれば、撮像カメラ部の回転軸が収納部の前端角部に位置することになり、撮像カメラ部の中央部を回転軸として角度調整を行う場合と比べて、撮像カメラ部を回転した際に撮像カメラ部の一部が本体部側へ退出して撮像カメラ部の撮像範囲が狭められてしまうことを軽減でき、撮像範囲を広範囲にわたって確保することができる。
【００２５】
請求項８の発明では、請求項５乃至７いずれか記載の発明の構成に加えて、前記支持部及び前記係止部は、それぞれ前記収納部の内側に突出する突起部からなり、前記被支持部及び前記被係止部は、それぞれ縦方向の溝からなるとともに、前記被支持部は前記被係止部より深く形成されていることを特徴とするカメラ付きインターホンユニットとした。
【００２６】
請求項８の発明によれば、撮像カメラ部の被支持部が支持部に強固に支持されて、被支持部が支持部から外れにくくなる。これにより、撮像方向の角度調整を行う際、特に係止部に係止させる被係止部を変更する際に、撮像カメラ部が支持部から外れてしまうことを防止できるため、撮像方向の角度調整を容易に行えるようになる。
【００２７】
請求項９の発明では、請求項５の発明の構成に加えて、前記収納部は、前記収納部の各後端角部から各前端角部に前記収納部の側部に沿って、弾性を有して互いに並行に突設された一対の突設片を備え、前記支持部は、一方の前記突設片の先端部に形成され、前記係止部は、他方の前記突設片の先端部に形成され、少なくとも両側部を備えて前記撮像カメラ部を保護するカメラカバーは、該両側部で前記一対の突設片の外側から前記撮像カメラ部を狭持するように被着されて、前記一対の突設片を撮像カメラ部側に押圧していることを特徴とするカメラ付きインターホンユニットとした。
【００２８】
請求項９の発明によれば、撮像カメラ部に被着されるカメラカバーにより、一対の突設片を撮像カメラ部側に押圧しているため、支持部と撮像カメラ部の被支持部、及び係止部と撮像カメラ部の被係止部が強固に固定されることになり、衝突等により撮像カメラ部の位置がずれてしまうことを防止することができる。
【００２９】
請求項１０の発明では、請求項２の発明の構成に加えて、前記本体部に、少なくとも前面及び上面が開口し、前記撮像カメラ部を載置する底部を前記前面に対して直交して有する収納部を設け、前記角度調整手段は、前記底部に載置される前記撮像カメラ部の底面に突設された一対の凸部と、前記一対の凸部間の間隔と同じ間隔を有して前記底部に複数設けられた一対の凹部とからなり、前記撮像カメラ部を収納保護するカメラカバーには、その底面に前記一対の凸部を外部へ突出する開口部が設けられ、前記撮像カメラ部は、前記開口部から前記一対の凸部を外部へ突出した状態で、前記カメラカバーに水平方向に移動自在に収納され、前記カメラカバーは、前記収納部に上下方向に一定距離移動可能に設けられ、前記カメラカバーを下方向に移動させた状態で前記撮像カメラ部の前記一対の凸部を前記底部に設けられたいずれか一対の凹部に選択的に係止させ、前記カメラカバーを上方向に移動させた状態で、前記一対の凸部を前記一対の凹部から離脱させることを特徴とするカメラ付きインターホンユニットとした。
【００３０】
請求項１０の発明によれば、撮像カメラ部をカメラカバーに収納し、このカメラカバーを上下方向に一定距離移動可能に収納部に設けているため、撮像カメラ部を本体部から取り外しても、撮像カメラ部はカメラカバーにより支持されるため、角度調整の際に撮像カメラ部が本体部から脱落することがなくなる。また、撮像カメラ部に設けた一対の凸部を収納部に複数設けた一対の凹部に選択的に係止させて角度調整を行うため、所定の方向へ確実かつ容易に撮像方向の角度調整を行うことができる。
【発明の効果】
【００３１】
本発明は、取付台を造営面に取り付けた後でも、造営面の位置にあわせて撮像方向を水平方向に角度調整することができ、使用者の所望する撮像方向を得ることができるという効果がある。
【発明を実施するための最良の形態】
【００３２】
（実施形態１）
本実施形態のカメラ付きインターホンユニットは、図９に示す従来のカメラ付きインターホンユニット１と比べて、本体部２のベース３及び取付台７に特徴があり、その他の構成はほぼ同様であるので説明を省略する。
【００３３】
カメラ付きインターホンユニット１は、図１（ａ）に示すように、ベース３及び背面カバー４を備えた本体部２と、本体部２に水平方向に直交する方向に回転自在かつ本体部２の前面方向を撮像方向として備えられる撮像カメラ部５と、本体部２の背面カバー４から露出され、撮像カメラ部５の撮像方向を水平方向に直交する方向に調整するための操作つまみ６と、本体部２を造営面に取り付けるための取付台７とからなり、本体部２の上部に備えた軸受け部３ａ及び下部に備えた挿通孔（図示せず）と、取付台７の上部に備えた軸部７ｅ及び下部に水平方向に回転自在に備えた取付部７ｄとを用いて、本体部２を取付台７に対して水平方向に回転自在に取り付けて構成されている。
【００３４】
本体部２のベース３は、背面が開口した箱状に形成され、その上面部の略中央部に円形状の凹部からなる軸受け部３ａを備えるとともに、下面部に、取付台７の取付部７ｄを挿通される挿通孔（図示せず）を軸受け部３ａと水平方向に直交する方向に同軸となるように備えている。また、ベース３の前面下部には本体部２を取付台７に取り付けるためのねじ孔を備えている。
【００３５】
取付台７は、長方形状の枠体７ａと、中央部が開口し、上端側及び下端側にそれぞれ前記造営面に取り付けるための穴部７ｂを備えた背板７ｃと、枠体７ａの上面部及び下面部の略中央部から前面方向へ突出する一対の突出片７ｆ、７ｇと、突出片７ｆの下面部に突設されてベース３の軸受け部３ａに軸支される軸部７ｅと、突出片７ｇの上面部に軸部７ｅと水平方向に直交する方向に同軸かつ水平方向に回転自在に支持されてベース３の前記挿通孔を挿通し、ベース３の前記ねじ孔と連通して取付ねじ８が螺入されるねじ孔７ｈを備えた取付部７ｄと、突出片７ｇに設けられて、取付部７ｄを回転しないように固定するロック片１２とを備えている。例えば、ロック片１２は、本体部２を取付ねじ８により取付台７に固着した際に、ロック片１２から取付台７に応力がかかり、本体部２の水平方向の角度を保持するものが用いられる。このようなロック片１２は、本体部２の水平方向の角度を保持できれば、ロック片１２から取付台７にかかる応力の方向はいずれの方向であってもよい。
【００３６】
以上によりカメラ付きインターホンユニット１は構成され、このカメラ付きインターホンユニット１は、ベース３の前記挿通孔に取付台７の取付部７ｄを挿通し、この取付部７ｄのねじ孔７ｈにベース３の前記ねじ孔を連通させ、取付ねじ８を両者に螺入して取付部７ｄに本体部２を固着し、ベース３の軸受け部３ａに取付台７の軸部７ｅを嵌め合わせて、本体部２を取付台７に取り付けてある。これにより、図１（ｂ）に示すように本体部２は取付台７に水平方向に直交する方向を回転軸として回転自在に取り付けられることとなる。
【００３７】
このように構成されたカメラ付きインターホンユニット１は、本体部２を取付台７に対して水平方向の角度を調整する角度調整手段として、取付台７に設けられた水平回転用軸部である軸部７ｅと、本体部２に軸部７ｅと対応して設けられて、軸部７ｅを回転自在に支持する軸受け部３ａと、取付台７に水平方向に回転自在に支持された取付部７ｄとを備えている。すなわち、軸部７ｅが一方に設けられた水平方向回転用軸部となり、軸受け部３ａが他方に前記水平方向回転用軸部と対応して設けられて、前記水平方向回転用軸部を回転自在に支持する軸受け部となる。
【００３８】
これにより、カメラ付きインターホンユニット１は、本体部２を取付台７に対して水平方向に回転させることで、撮像方向が使用者の所望する撮像方向に向くように角度を調整することができる。また、所望する撮像方向が得られた角度にロック片１２により取付部７ｄを固定して、本体部２の水平方向の角度を保持することができる。
【００３９】
本実施形態によれば、本体部２を取付台７に水平方向に回転自在に取り付けてあるため、取付台７を造営面に取り付けた後でも、本体部２を取り付けた造営面の位置にあわせて撮像カメラ部５の撮像方向を水平方向に角度調整することができ、使用者の所望する撮像範囲を得ることができる。また、本体部２は、回転自在に取付台７に取り付けられているため、細かく角度調整を行うことができ、これにより使用者の所望の撮像方向を確実に得ることができる。さらに、撮像カメラ部５を本体部２に水平方向に直交する方向に回転自在に取り付け、本体部２の背面カバー４より露出させた操作つまみ６により角度調整可能としてあるので、造営面に取り付ける前であれば、水平方向の角度調整だけでなく、水平方向に直交する方向の角度調整をも行うことができる。
【００４０】
なお、背面カバー４の背面の上端部及び下端部の略中央部から水平方向に並行する一対の平板状の突設片を形成して、上端部に設けた突設片の上面の本体部２の上面における長手方向の中心線上に軸受け部３ａ、下端部に設けた突設片の下面に軸受け部３ａと同軸上に前記挿通孔及び取付部７ｄのねじ孔７ｈに連通するねじ孔を備えた部位を設け、前記突設片を介して本体部２を取付台７に水平方向に回転自在に取り付ける構成としてもよい。従って、このように本体部２の上面の長手方向、すなわち左右方向の中心線上に回転軸を設けることで、本体部２を取付台７に対して左右方向に均一に回転させることができ、これにより撮像カメラ部５の撮像範囲を左右方向に広範囲に亘って確保することができる。
【００４１】
またなお、本実施形態において、ベース３に設けた軸受け部３ａに、取付台７に設けた軸部７ｅを支持させているが、例えば、ベース３に軸部、取付台７に軸受け部を設けて、取付台７に設けた軸受け部にベース３の軸部を支持させることとしてもよく、軸部を軸受け部に支持させる構成を有していれば問題無く実施できる。
（実施形態２）
本実施形態のカメラ付きインターホンユニットは、図９に示す従来のカメラ付きインターホンユニット１と比べて、本体部２及び撮像カメラ部５に特徴があり、その他の構成はほぼ同様であるので説明を省略する。
【００４２】
カメラ付きインターホンユニット１は、図２（ａ）に示すように、撮像カメラ部５を収納する収納部１５を有するベース１３、及び一端側に開口部１４ａを有する平板状の背面カバー１４を備えた本体部２と、前面方向を撮像方向とするとともに撮像方向を水平方向に直交する方向に回転自在に構成された撮像カメラ部５と、背面カバー１４の開口部１４ａから露出され、撮像カメラ部５の撮像方向を水平方向に直交する方向に調整するための操作つまみ６と、収納部１５に被着されて撮像カメラ部５を保護するカメラカバー１７と、本体部２を壁、門柱、表札内等の造営面に取り付けるための取付台７とからなり、撮像カメラ部５を本体部２に水平方向に回転自在に取り付けて構成されている。
【００４３】
撮像カメラ部５は、撮像素子（図示せず）を収納した撮像部５ａと、前面にレンズを備えて撮像部５ａの前部から突設されたレンズ部５ｂと、撮像部５ａの両側部から水平方向に同軸となるように突設された軸部５ｃと、前面からレンズ部５ｂを露出するとともに、前面に可視光を透過する樹脂製のカバーを設けてレンズ部５ｂを保護し、かつ、撮像部５ａの軸部５ｃを水平方向に直交する方向に回転自在に支持して撮像部５ａを収納する箱状のカメラベース１６とからなり、このカメラベース１６の上面部の略中央部に第１の軸部１６ａを、カメラベース１６の下面部に第１の軸部１６ａと同軸に第２の軸受け部（図示せず）を設けてある。また、撮像カメラ部５の背部には操作つまみ６が固着されている。
【００４４】
ベース１３は、背面が開口した箱状に形成され、その上面部１３ａの両側部から上方向に一対の側壁１３ｂが延設されるとともに、上面部１３ａの略中央部に、撮像カメラ部５の前記第２の軸受け部に軸支される第２の軸部１３ｃが突設されている。このベース１３の上面部１３ａ及び一対の側壁１３ｂで囲まれた空間部は、ベース１３の上面部１３ａを底部として撮像カメラ部５を収納するための収納部１５として用いられる。このような収納部１５は、前面及び上面が開口し、撮像カメラ部５を載置する前記底部を前記前面に対して直交して有している。また、この収納部１５は、撮像カメラ部５を第２の軸部１３ｃを回転軸として回転自由に収納できる程度の大きさに設けてある。
【００４５】
背面カバー１４は、一端側に、撮像カメラ部５が突出可能な程度の大きさの開口部１４ａを有して平板状に形成され、この背面カバー１４の一端部の略中央部から前面方向へ突出する突出片１４ｂを延設し、この突出片１４ｂの下面部に、背面カバー１４をベース１３に被着した際に、ベース１３の第２の軸部１３ｃと同軸となるように、第１の軸部１６ａを軸支する第１の軸受け部１４ｃを設けてある。
【００４６】
本体部２は、ベース１３の背面に背面カバー１４を被着してなる筐体と、前記筐体の上部に配設されるスピーカ部９と、前記筐体の下部に配設される呼出しボタン１０と、これらを駆動するための音声回路や画像伝送回路等を具備した回路部（図示せず）と、取付ねじ８により本体部２を取付台７に取り付けるためのねじ孔を備え、収納部１５に撮像カメラ部５を次のように収納して構成されている。すなわち撮像カメラ部５は、撮像カメラ部５の撮像方向を本体部２の前面方向に向けて上面部１３ａに載置されるとともに、第１の軸受け部１４ｃに第１の軸部１６ａを、前記第２の軸受け部に第２の軸部１３ｃを軸支させて収納部１５に支持されている。
【００４７】
カメラカバー１７は、前面及び後面に撮像カメラ部５が突出可能な程度の大きさの開口を備えた箱形状を有している。このカメラカバー１７は、背面カバー１４の突出片１４ｂをカメラカバー１７の上面部で被覆するとともに、ベース１３の側壁１３ｂにカメラカバー１７の側部１７ａをそれぞれ当接させ、その前面側の開口から撮像カメラ部５の前面部を一部露出して、収納部１５に被着されている。またカメラカバー１７の底面には第２の軸部１３ｃを前記第２の軸受け部に支持させるための孔部を設けてある。
【００４８】
以上によりカメラ付きインターホンユニット１は構成され、このカメラ付きインターホンユニット１は、上述したように、撮像カメラ部５に設けた第１の軸部１６ａ及び前記第２の軸受け部を、背面カバー１４に設けた第１の軸受け部１４ｃ及びベース１３の上面部１３ａに設けた第２の軸部１３ｃにそれぞれ支持させてある。これにより、撮像カメラ部５は本体部２に水平方向に直交する方向を回転軸として回転自在に取り付けられることとなる。また、撮像カメラ部５を回転させても、ベース１３の側壁１３ｂ、背面カバー１４の開口部１４ａ、及びカメラカバー１７により、その回転が妨げられないようにしてある。
【００４９】
このように構成されたカメラ付きインターホンユニット１は、撮像カメラ部５を本体部２に対して水平方向の角度を調整する角度調整手段として、撮像カメラ部５に設けられた水平方向回転用軸部である第１の軸部１６ａと、本体部２に第１の軸部１６ａと対応して設けられて、第１の軸部１６ａを回転自在に支持する第１の軸受け部１４ｃ、及び、本体部２に設けられた水平方向回転用軸部である第２の軸部１３ｃと、撮像カメラ部５に第２の軸部１３ｃと対応して設けられて、第２の軸部１３ｃを回転自在に支持する前記第２の軸受け部とを備えている。すなわち、第１の軸部１６ａ及び第２の軸部１３ｃが一方に設けられた水平方向回転用軸部となり、第１の軸受け部１４ｃ及び前記第２の軸受け部が他方に前記水平方向回転用軸部と対応して設けられて、前記水平方向回転用軸部を回転自在に支持する軸受け部となる。
【００５０】
これにより、カメラ付きインターホンユニット１は、例えば図２（ｂ）に示すように本体部２の前面方向Ａと撮像カメラ５の撮像方向Ｂとを一致させた状態から、撮像カメラ部５を本体部２に対して水平方向に回転させて、図２（ｃ）に示すように、本体部２の前面方向Ａと撮像カメラ部５の撮像方向Ｂとが角度Δθとなるように角度を調整することができる。
【００５１】
本実施形態によれば、撮像カメラ部５を本体部２に水平方向に直交する方向を回転軸として回転自在に取り付けているため、本体部２を造営面に取り付けた後でも、本体部２が取り付けられた造営面の位置にあわせて撮像カメラ部５の撮像方向を水平方向に角度調整でき、使用者の所望する撮像範囲を得ることができる。また、撮像カメラ部５は、本体部２に回転自在に取り付けられているため、細かく角度調整を行うことができ、これにより使用者の所望の撮像方向を確実に得ることができる。さらに、角度調整の際に、撮像カメラ部５のみが水平方向に回転することとなるため、上述の実施形態１のように本体部２ごと回転する場合に比べて、造営面からの突出部位が少なくてすみ、これにより、水平方向に角度調整したとしても造営面に違和感無く、かつ、見栄え良く取り付けることができる。加えて、撮像カメラ部５は、本体部２の背面カバー１４から露出させた操作つまみ６により水平方向に直交する方向の角度を調整可能として構成してあるので、本体部２を造営面に取り付ける前であれば、水平方向の角度調整だけでなく、水平方向に直交する方向の角度調整をも行うことができる。
【００５２】
なお、撮像カメラ部５の背面部の上端部及び下端部の略中央部から水平方向に並行する一対の平板状の突設片を形成して、上端部に設けた突設片の上面の撮像カメラ部５の上面における長手方向の中心線上に第１の軸部１６ａ、下端部に設けた突設片の下面に第１の軸部１６ａと同軸上に前記第２の軸受け部を設け、かつ、収納部１５の中央部に第２の軸部１３ｃを設けるとともに、背面カバー１４に第２の軸部１３ｃと同軸上に第１の軸受け部１４ｃを設けて、撮像カメラ部５を本体部２の収納部１５に水平方向に回転自在に収納する構成としてもよい。従って、このように撮像カメラ部５の回転軸を収納部１５の中央部とすることで、撮像カメラ部５を収納部１５に対して左右方向に均一に回転させることができるため、撮像カメラ部５の撮像範囲を左右方向に広範囲に亘って確保することができる。
【００５３】
またなお、本実施形態において、撮像カメラ部５に設けた第１の軸部１６ａ及び前記第２の軸受け部を、背面カバー１４に設けた第１の軸受け部１４ｃ及びベース１３の上面部１３ａに設けた第２の軸部１３ｃにそれぞれ支持させているが、これら軸部と軸受け部を逆に設ける構成としてもよく、軸部を軸受け部に支持させる構成としていれば問題無く実施できる。
【００５４】
加えて、図３に示すように、収納部１５の底部であるベース１３の上面部１３ａに、第２の軸部１３ｃから放射状に複数のリブ１８を突設し、撮像カメラ部５の底面であるカメラベース１６の下面部にリブ１８を乗り越え自在に位置決め凸部（図示せず）を形成することができる。なお、この図ではカメラカバー１７及び取付台７は省略してある。
【００５５】
上記の構成によれば、撮像カメラ部５の回転中心を中心として収納部１５の底部に突設した放射状のリブ１８に、撮像カメラ部５の底面に形成した位置決め凸部を選択的に係合させて、撮像カメラ部５の水平方向の角度調整を行うことができる。従って、撮像カメラ部５の水平方向の角度を、予め設定した角度に容易に調整することができ、角度調整にかかる時間を大幅に削減することができる。
（実施形態３）
本実施形態のカメラ付きインターホンユニットは、上述の実施形態２のカメラ付きインターホンユニット１と比べて、本体部２及び撮像カメラ部５に特徴があり、その他の構成はほぼ同様であるので説明を省略する。
【００５６】
撮像カメラ部５は、図４（ａ）に示すように、撮像素子（図示せず）を収納した撮像部５ａ（図２（ａ）参照）と、前面にレンズを備えて、撮像部５ａの前部から突設されたレンズ部５ｂと、撮像部５ａの両側部から水平方向に同軸となるように突設された軸部５ｃ（図２（ａ）参照）と、前面からレンズ部５ｂを露出するとともに、前面に可視光を透過する樹脂製のカバーを設けてレンズ部５ｂを保護し、かつ、撮像部５ａの軸部５ｃを水平方向に直交する方向に回転自在に支持して撮像部５ａを収納する箱状のカメラベース１６とからなり、このカメラベース１６の一方の側部の前端角部に水平方向に直交する方向の溝からなる被支持部１９（図４（ｂ）参照）を設けるとともに、他方の側部に、被支持部１９とほぼ同形状の水平方向に直交する方向の溝からなる被係止部２０をその前端部から後端部にかけて複数設けてある。
【００５７】
ベース１３は、背面が開口した箱状に形成され、その上面部１３ａの両側部から上方向に一対の側壁１３ｂを延設されている。このように形成されたベース１３の上面部１３ａ及び一対の側壁１３ｂで囲まれた空間部は、ベース１３の上面部１３ａを底部として、撮像カメラ部５を収納するための収納部１５として用いられる。
【００５８】
背面カバー１４は、一端側に、撮像カメラ部５が突出可能な程度の大きさの開口部１４ａを有し平板状に形成されている。また、背面カバー１４がベース１３に被着された際に、ベース１３の収納部１５の各後端角部から各前端角部に収納部１５の側部である側壁１３ｂに沿って位置するように、弾性を有し、かつ、互いに並行な一対の突設片２１、２２を背面カバー１４の開口部１４ａの両側部に突設してある。加えて、一方の突設片２１の先端部に、収納部１５の内側へ突出する突起からなり、被支持部１９で撮像カメラ部５を水平方向に回転自在に支持する支持部２３を設け、他方の突設片２２の先端部に、収納部１５の内側へ突出する突起からなり、撮像カメラ部５の被係止部２０のいずれか一つを係止する係止部２４を設けてある。
【００５９】
カメラカバー１７は、前面及び後面に撮像カメラ部５と突出可能な程度の大きさの開口を備えた箱形状を有し、その側部１７ａをベース１３の側壁１３ｂと各側壁１３ｂにそれぞれ近接する突設片２１、２２との隙間に挿入されて、収納部１５に被着されている。
【００６０】
本体部２は、ベース１３、及び収納部１５に一対の突設片２１、２２を上述したように位置させて、ベース１３の背面に被着される背面カバー１４からなる筐体と、前記筐体の上部に配設されるスピーカ部９と、前記筐体の下部に配設される呼出しボタン１０と、これらを駆動するための音声回路や画像伝送回路等を具備した回路部（図示せず）と、取付ねじ８により本体部２を取付台７に取り付けるためのねじ孔を備え、収納部１５に撮像カメラ部５を後述するように収納して構成されている。
【００６１】
すなわち、収納部１５は、図４（ｂ）に示すように、その各後端角部から各前端角部に側壁１３ｂに沿って互いに並行な一対の突設片２１、２２を備えるとともに、各前端角部に、支持部２３と係止部２４が位置することとなる。そして、撮像カメラ部５は、被支持部１９で支持部２３により水平方向に回転自在に支持されるとともに、被係止部２０のいずれか１つを係止部２４に係止されて、収納部１５に収納されている。
【００６２】
以上により構成されたカメラ付きインターホンユニット１は、係止部２４により係止される被係止部２０を選択することで、被支持部１９と支持部２３とからなる軸を回転中心として撮像カメラ部５の本体部２に対する水平方向の角度を調整することができる。
【００６３】
而して、カメラ付きインターホンユニット１は、撮像カメラ部５を本体部２に対して水平方向の角度を調整する角度調整手段として、撮像カメラ部５の一方の側部に形成された被支持部１９と、この被支持部１９を用いて撮像カメラ部５を本体部２に水平方向に直交する方向を回転軸として回転自在に支持する支持部２３、及び撮像カメラ部５の他方の側部に複数形成された被係止部２０と、撮像カメラ部５を所定の角度に位置決めして係止する係止部２４とを備え、これにより、カメラ付きインターホンユニット１は、例えば、図４（ｂ）に示すように、前端部に位置する被係止部２０に係止部２４を係止させて、本体部２の前面方向Ａと撮像カメラ部５の撮像方向Ｂとを一致させた状態から、係止部２４により係止される被係止部２０を替えて、図４（ｃ）に示すように、後端部に位置する被係止部２０に係止部２４を係止させて、本体部２の前面方向Ａと撮像カメラ部５の撮像方向Ｂと角度Δθとなるように角度調整をすることができる。
【００６４】
本実施形態によれば、撮像カメラ部５の側部の前端角部に設けられた被支持部１９とこれを支持する収納部１５の支持部２３とを回転軸として、撮像カメラ部５の他方の側部に複数設けた被係止部２０を選択的に収納部１５の係止部２４に係止することで、撮像カメラ部５の撮像方向の角度調整を行うことができる。そのため、造営面に本体部２を取り付けた後でも角度調整を行うことができる。また、上述の実施形態２のように撮像カメラ部５の略中央部を回転軸として角度調整を行う場合と比べて、撮像カメラ部５を回転した際に撮像カメラ部５の一部が本体部側へ退出して撮像カメラ部５の撮像範囲が側壁１３ｂにより狭められてしまうことを回避でき、そのため、撮像範囲を広範囲にわたって確保することができ、さらに、画角の大きいレンズであっても問題無く使用することができる。加えて、上述の実施形態２のように収納部１５の略中心部を回転軸として撮像カメラ部５を回転自在に支持する場合に比べて、撮像カメラ部５の回転に必要な収納部１５の前後幅を縮小できる。これにより、実施形態２よりもカメラ付きインターホンユニット１を薄型化することができる。さらに、撮像カメラ部５のみが水平方向に回転するため、上述の実施形態１のように本体部２ごと回転する場合に比べて、造営面からの突出部位が少なくてすみ、これにより、水平方向に角度調整したとしても造営面に違和感無く、かつ、見栄え良く取り付けることができる。加えて、撮像カメラ部５は、本体部２の背面カバー１４から露出させた操作つまみ６により水平方向に直交する方向の角度を調整可能として構成してあるので、本体部２を造営面に取り付ける前であれば、水平方向の角度調整だけでなく、水平方向に直交する方向の角度調整をも行うことができる。
【００６５】
なお、本実施形態において、撮像カメラ部５に設けた被支持部１９及び被係止部２０は、水平方向に直交する方向の溝形状としてあるが、これらは溝形状に限られるものではなく、例えば被支持部１９及び被係止部２０を突起から形成して、支持部２３及び係止部２４を溝形状として、互いに支持させる構成としてもよい。加えて、被支持部１９の位置は、撮像カメラ部５の側部の前端角部に限られるものではなく、構成に応じて適宜変更することとしても問題なく実施できる。
【００６６】
また、図５（ａ）、（ｂ）に示すように、撮像カメラ部５の両側部の前端角部に被支持部１９を設けるとともに、撮像カメラ部５の両側部の前端部から後端部に亘って被係止部２０を設けることとしてもよい。この場合、撮像カメラ部５の一方の被支持部１９を支持部２３に支持させた場合は、上述と同様であるが、撮像カメラ部５の他方の被支持部１９を係止部２４に支持させる場合は、係止部２４を支持部として用い、支持部２３を係止部として用いて一方の側部に設けた被係止部２０と選択的に係止させることで、前者の場合と異なる方向へ、撮像カメラ部５の撮像方向Ｂを向けることができる。
【００６７】
従って、撮像カメラ部５の撮像方向の角度調整する際に、撮像カメラ部５を水平方向に回転させるための回転軸を、いずれの側部の前端角部とするかを必要に応じて自由に選択することができ、これにより、撮像カメラ部５の撮像方向の角度調整を広範囲にわたって行うことができるようになる。
【００６８】
さらに、図５（ｃ）に示すように、ともに撮像カメラ部５の側部に対し縦方向である水平方向に直交する方向の溝からなる被支持部１９及び被係止部２０において、被支持部１９を被係止部２０よりも深く形成することとしてもよい。この構成によれば、撮像カメラ部５の被支持部１９が支持部２３に強固に支持されて、被支持部１９が支持部２３から外れにくくなる。これにより、撮像方向の角度調整を行う際、特に係止部２４に係止させる被係止部２０を変更する際に、撮像カメラ部５が支持部２３から外れて本体部２から脱落してしまうことを防止することができ、このため撮像方向の角度調整を容易に行えるようになる。加えて、被係止部２０をなめらかなＲ形状に設けることで、係止部２４の被係止部２０間の移動を容易に行えるようになり、これにより、さらに撮像方向の角度調整を容易に行えるようになる。
【００６９】
一方、上述の突設片２１、２２は、撮像カメラ部５を突設片２１、２２間で狭持できるように、弾性を持たせて形成されているが、撮像カメラ部５の撮像方向の角度調整を行った後は、撮像カメラ部５を強固に位置決めして本体部２に保持して、衝突等により撮像カメラ部５の位置がずれてしまうことを防止できることが好ましい。そのため、本実施形態では、カメラカバー１７の側部１７ａをベース１３の側壁１３ｂと各側壁１３ｂにそれぞれ近接する突設片２１、２２との隙間に嵌入して、突設片２１、２２が撮像カメラ部５に対して外方向へ撓んでしまうことをある程度抑えている。これにより、係止部２４が被係止部２０間を移動しにくくなり、撮像カメラ部５を位置決めして保持することができるが、衝突等の強い外力がかかると位置ずれを生じてしまう。
【００７０】
そこで、撮像カメラ部５を強固に位置決めするために、図６（ａ）に示すように、カメラカバー１７の内側の係止部２４と対向する部位に突起１７ｂを設けてある。これにより、カメラカバー１７を収納部１５に被着した際に、この突起１７ｂで係止部２４を外側から押圧することができる。従って、カメラカバー１７を収納部１５に被着すると、係止部２４はカメラカバー１７に設けた突起１７ｂにより撮像カメラ部５側に押圧され、また、支持部２３の外側にもカメラカバー１７の側部１７ａが位置しているため、支持部２３もまたカメラカバー１７により撮像カメラ部５側に押圧されることになる。すなわち、撮像カメラ部５に被着されるカメラカバー１７に突起１７ｂを設けることで、一対の突設片２１、２２をさらに撮像カメラ部５側に押圧することができ、これにより、係止部２４が被係止部２０間を移動できなくなり、支持部２３と撮像カメラ部５の被支持部１９、及び係止部２４と撮像カメラ部５の被係止部２０が強固に固定される。そのため衝突等により撮像カメラ部５に位置ずれが生じてしまうことを防止することができる。なお、図６（ａ）に示すカメラカバー１７では、突起１７ｂを片側にのみ設けているが、両側に設けることとしてもよい。
【００７１】
また、図６（ｂ）に示すように、ベース１３の側壁１３ｂに後述する押圧機構を設けてもよい。前記押圧機構は、ベース１３の側壁１３ｂの前面に操作スイッチ２５を露設され、この操作スイッチ２５をオンすると側壁１３ｂに近接する突設片２１、２２を収納部１５の内側へと押圧し、操作スイッチ２５をオフすると押圧が解除される機能を備えて構成してある。これにより、操作スイッチ２５をオフした状態で、撮像カメラ部５の角度調整を行い、角度調整後に操作スイッチ２５をオンすることで、撮像カメラ部５を本体部２に強固に位置決めして保持することができる。なお、図６（ｂ）において、取付台７は省略してある。
【００７２】
若しくは、このような押圧機構のかわりに、撮像カメラ部５に後述する保持機構を設けてもよい。前記保持機構は、撮像カメラ部５の前面の両側部に操作スイッチ２６を露設され、この操作スイッチ２６をオンすると被支持部１９又は被係止部２０をそれぞれ支持する支持部２３又は係止部２４をそれぞれ強固に保持し、操作スイッチ２６をオフすると支持部２３又は係止部２４の保持が解除される機能を備えて構成してある。これにより、操作スイッチ２６をオフした状態で、撮像カメラ部５の角度調整を行い、角度調整後に操作スイッチ２６をオンすることで、撮像カメラ部５を本体部２に強固に位置決めして保持することができる。
（実施形態４）
本実施形態のカメラ付きインターホンユニットは、上述の実施形態３のカメラ付きインターホンユニット１と比べて、カメラカバー１７に支持部２３及び係止部２４を設けたことに特徴があり、その他の構成はほぼ同様であるので説明を省略する。
【００７３】
すなわち、上述の実施形態３では、背面カバー１４に突設した一対の突設片２１、２２の先端部に支持部２３及び係止部２４を設けていたが、本実施形態では、図７（ａ）に示すように、カメラカバー１７の前端角部の一方に支持部２３、他方に係止部２４を設けてある。従って、撮像カメラ部５は、被支持部１９で支持部２３により水平方向に回転自在に支持されるとともに、被係止部２０のいずれか１つを係止部２４に係止されて、カメラカバー１７に支持されることになり、このようにして支持された撮像カメラ部５は、上述の実施形態３と同様に角度調整を行うことができる。
【００７４】
而して、このカメラカバー１７を、本体部２の収納部１５に被着すると、図７（ｂ）に示すように、収納部１５の各前端角部にカメラカバー１７に設けた支持部２３と係止部２４とが位置し、また、カメラカバー１７は側部１７ａを側壁１３ｂにより収納部１５の内側方向へ押圧され、これにより、支持部２３及び係止部２４が撮像カメラ部５方向へ押圧され、撮像カメラ部５は、強固に位置決めして保持されることになる。
【００７５】
本実施形態によれば、本体部２を造営面に取り付けた後でも角度調整を行えるだけではなく、カメラカバー１７の前端角部の一方に支持部２３、他方に係止部２４を設けてあるので、撮像カメラ部５の水平方向の回転軸を上述の実施形態３よりも本体部２の前面側に位置させることができ、これにより、撮像カメラ部５を回転した際に撮像カメラ部５の一部が本体部２側へ退出して撮像カメラ部５の撮像範囲が狭められてしまうことをさらに軽減でき、撮像範囲を広範囲にわたって確保することができる。また、撮像カメラ部５のみが水平方向に回転するため、上述の実施形態１のように本体部２ごと回転する場合に比べて、造営面からの突出部位が少なくてすみ、これにより、水平方向に角度調整したとしても造営面に違和感無く、かつ、見栄え良く取り付けることができる。加えて、撮像カメラ部５は、本体部２の背面カバー１４から露出させた操作つまみ６により水平方向に直交する方向の角度を調整可能として構成してあるので、本体部２を造営面に取り付ける前であれば、水平方向の角度調整だけでなく、水平方向に直交する方向の角度調整をも行うことができる。
【００７６】
また、図７（ｃ）に示すように、撮像カメラ部５の両側部の前端角部に被支持部１９を設けるとともに、前端部から後端部に亘って被係止部２０を設けることとしてもよい。この場合、撮像カメラ部５の一方の被支持部１９を支持部２３に支持させた場合は、上述と同様であるが、撮像カメラ部５の他方の被支持部１９を係止部２４に支持させる場合は、係止部２４を支持部として用い、支持部２３を係止部として用いて一方の側部に設けた被係止部２０と選択的に係止させることで、前者の場合と異なる方向へ撮像カメラ部５の撮像方向を向けることができる。
【００７７】
従って、撮像カメラ部５の撮像方向の角度調整する際に、撮像カメラ部５を水平方向に回転させるための回転軸を、いずれの側部の前端角部とするかを必要に応じて自由に選択することができ、これにより、撮像カメラ部５の撮像方向の角度調整を広範囲にわたって行うことができるようになる。また、カメラカバー１７に支持部２３と係止部２４を設けてあるので、上述の実施形態３のように突設片２１、２２を設ける必要がなくなり、構造を簡単にすることができる。
（実施形態５）
本実施形態のカメラ付きインターホンユニットは、上述の実施形態３のカメラ付きインターホンユニット１と比べて、撮像カメラ部５、ベース１３、及びカメラカバー１７に特徴があり、その他の構成はほぼ同様であるので説明を省略する。
【００７８】
撮像カメラ部５は、図８に示すように、撮像素子（図示せず）を収納した撮像部５ａ（図２（ａ）参照）と、前面にレンズを備えて、撮像部５ａの前部から突設されたレンズ部５ｂと、撮像部５ａの両側部から水平方向に同軸となるように突設された軸部５ｃ（図２（ａ）参照）と、前面からレンズ部５ｂを露出するとともに、前面に可視光を透過する樹脂製のカバーを設けてレンズ部５ｂを保護し、かつ、撮像部５ａの軸部５ｃを水平方向に直交する方向に回転自在に支持して撮像部５ａを収納する箱状のカメラベース１６とからなり、このカメラベース１６の下面部には、該下面部の中心を回転中心とする同心円上に、互いに点対称な一対の凸部である一対のストッパ１６ｃを突設してある。
【００７９】
ベース１３は、背面が開口した箱状に形成され、その上面部１３ａの両側部から上方向に一対の側壁１３ｂを延設されている。また、上面部１３ａには、上面部１３ａの中心を回転中心とするとともに一対のストッパ１６ｃ間の距離を直径とする円弧線上に、互いに点対称となる一対の凹部である一対の位置決め穴部１３ｄを複数対設けてある。従って、一対の位置決め穴部１３ｄは、一対のストッパ１６ｃ間の間隔と同じ間隔を有している。さらに上面部１３ａの両側部には、後述するカメラカバー１７のカメラ支持部２７が嵌入される支持穴部１３ｅを設けてある。このベース１３の上面部１３ａ及び一対の側壁１３ｂで囲まれた空間部は、ベース１３の上面部１３ａを底部として、撮像カメラ部５を収納するための収納部１５として用いられる。このような収納部１５は、前面及び上面が開口し、撮像カメラ部５を載置する前記底部を前記前面に対して直交して有している。
【００８０】
カメラカバー１７は、前面及び後面に撮像カメラ部５が突出可能な程度の大きさの開口を備えた箱形状を有し、その底面に該底面の両端部から下方向に突設されて支持穴部１３ｅに嵌入される一対の前記カメラ支持部２７を備えている。また、カメラカバー１７の前記底面には、撮像カメラ部５を収納した際に、撮像カメラ部５の一対のストッパ１６ｃを外部へ突出する円弧状の開口部からなる一対の孔部１７ｃが形成されている。この孔部１７ｃにより、一対のストッパ１６ｃをカメラカバー１７から外部へ突出した状態で、撮像カメラ部５をカメラカバー１７内に水平方向に回転自在に収納することができる。前記カメラ支持部２７は、先端部に、カメラ支持部２７が支持穴部１３ｅから抜けない程度の大きさを有してカメラ支持部２７から側方へ突設された凸状の保持部２７ａと、中間部に、支持穴部１３ｅの穴形状と同程度の大きさを有してカメラ支持部２７から側方へ突設された凸状の仮保持部２７ｂとが形成されている。従って、カメラ支持部２７を支持穴部１３ｅに嵌入させてカメラカバー１７をベース１３に被着した際に、この保持部２７ａにより、カメラカバー１７がベース１３から抜け落ちることがなくなり、また仮保持部２７ｂを支持穴部１３ｅに嵌め合わせることで、カメラカバー１７を仮保持することができる。これにより、カメラカバー１７は上下方向に一定距離移動可能に収納部１５に設けられることとなる。
【００８１】
以上により構成されたカメラ付きインターホンユニット１において、撮像カメラ部５は、撮像カメラ部５の一対のストッパ１６ｃを一対の孔部１７ｃから突出させた状態でカメラカバー１７に水平方向に回転自在に収納されて、撮像カメラ部５を収納したカメラカバー１７を収納部１５に被着することで、撮像カメラ部５は、収納部１５に収納されている。そして、上述したように、カメラカバー１７は、上下方向に一定距離移動可能に収納部１５に設けられているため、カメラカバー１７を下方向に押し下げて、収納部１５側へ移動させると、カメラカバー１７の一対の孔部１７ｃから突出した撮像カメラ部５の一対のストッパ１６ｃを、複数対設けた一対の位置決め穴部１３ｄに選択的に係止することができる。加えて、カメラカバー１７の底面に設けた孔部１７ｃから突出させた一対のストッパ１６ｃの長さ寸法を、カメラカバー１７の底面と仮保持部２７ｂとの間の長さ寸法より短く形成しておくことで、カメラカバー１７を仮保持部２７ｂにより仮保持した際に、撮像カメラ部５の係止状態を解除することができる。
【００８２】
而して、カメラ付きインターホンユニット１は、撮像カメラ部５を本体部２に対して水平方向の角度を調整する角度調整手段として、撮像カメラ部５の底面に設けた一対のストッパ１６ｃと、一対のストッパ１６ｃ間の距離を直径とする円弧線上にそれぞれ点対称となるように収納部１５に複数対設けられた一対の位置決め穴部１３ｄとを備え、これにより、カメラ付きインターホンユニット１は、一対のストッパ１６ｃを係止する一対の位置決め穴部１３ｄを選択することで、撮像カメラ部５の撮像方向を本体部２に対して水平方向に角度調整することができる。さらに、撮像カメラ部５は、カメラカバー１７に水平方向に回転自在に収納されており、加えて、カメラカバー１７を上下方向に一定距離移動可能にして収納部１５に設けているため、カメラカバー１７の上下方向の移動により撮像カメラ部５の一対のストッパ１６ｃと収納部１５の一対の位置決め穴部１３ｄとを着脱することができる。
【００８３】
すなわち、本実施形態のカメラ付きインターホンユニット１では、カメラカバー１７を上方向に引き上げて収納部１５に仮保持させることで、撮像カメラ部５の一対のストッパ１６ｃを収納部１５の一対の位置決め穴部１３ｄから離脱させて撮像カメラ部５を収納部１５から取り外し、次に撮像カメラ部５をカメラカバー１７内で水平方向に回転させて、撮像方向の角度調整を行い、この状態でカメラカバー１７を下方向に押し下げて撮像カメラ部５の一対のストッパ１６ｃを収納部１５の底部に設けられたいずれか一対の位置決め穴部１３ｄに選択的に係止させることで、撮像カメラ部５の撮像方向の角度調整を行うことができる。
【００８４】
本実施形態によれば、撮像カメラ部５をカメラカバー１７に収納し、このカメラカバー１７を上下方向に一定距離移動可能に収納部１５に設けている。従って、撮像カメラ部５を本体部２から取り外しても、撮像カメラ部５はカメラカバー１７により支持されるため、角度調整の際に撮像カメラ部５が本体部２から脱落することがなくなる。また、撮像カメラ部５に設けた一対のストッパ１６ｃを収納部１５に複数対設けた一対の位置決め穴部１３ｄに選択的に係止させて角度調整を行うため、所定の方向へ確実かつ容易に撮像方向の角度調整を行うことができる。さらに、本体部２を造営面に取り付けたままでも角度調整を行うことができ、加えて、撮像カメラ部５は、本体部２の背面カバー１３から露出させた操作つまみ６により水平方向に直交する方向の角度を調整可能として構成してあるので、本体部２を造営面に取り付ける前であれば、水平方向の角度調整だけでなく、水平方向に直交する方向の角度調整をも行うことができる。
【００８５】
また、本実施形態において撮像方向の水平方向の角度調整は、上述のような収納部１５の中心を回転軸とするもの限られるものではなく、例えば、上面部１３ａに一対のストッパ１６ｃに対応する一対の位置決め穴部１３ｄを設け、一対の位置決め穴部１３ｄのうち一方を中心として他方を通る円周上に、前記他方と所定の間隔を有するとともに、前記一方と対となって位置決め穴部を構成する穴部を複数設け、前記他方に対しても同様に、前記他方を中心として前記一方を通る円周上に、前記一方と所定の間隔を有するとともに、前記他方と対となって位置決め穴部を構成する穴部を複数設ける構成としてもよい。このような場合、一対のストッパ１６ｃの一方を一対の位置決め穴部１３ｄの一方に係止し、一対のストッパ１６ｃの他方を、一対の位置決め穴部１３ｄの一方と対となる穴部のいずれか１つと係止することで、一対のストッパ１６ｃのいずれか一方を回転軸として、撮像方向の水平方向の角度調整を行うことができる。そのため、必要に応じて撮像方向の角度調整を行う回転軸を選択することができ、これにより、撮像方向の角度調整を広範囲にわたって行うことができる。
【００８６】
或いは、上述の実施形態４で示した図７と同様に、撮像カメラ部５をその前端角部でカメラカバー１７に水平方向に回転自在に支持させて、一対のストッパ１６ｃに対応する一対の位置決め穴部１３ｄを上面部１３ａに複数対設ける構成とすることもできる。この場合、撮像カメラ部５の前端角部のいずれか一方を回転軸として撮像方向の水平方向の角度調整を行うことができ、一対のストッパ１６ｃを一対の位置決め穴部１３ｄに係止することで撮像カメラ部５の位置を固定することができる。そのため、必要に応じて撮像方向の角度調整を行う回転軸を選択することができ、さらに、撮像カメラ部５の回転軸が収納部１５の前端角部に位置することになり、撮像カメラ部５の中央部を回転軸として角度調整を行う場合と比べて、撮像カメラ部５を回転した際に撮像カメラ部５の一部が本体部２側へ退出して撮像カメラ部５の撮像範囲が狭められてしまうことを軽減でき、撮像範囲を広範囲にわたって確保することができる。
【図面の簡単な説明】
【００８７】
【図１】（ａ）は、本発明の実施形態１のカメラ付きインターホンユニットの分解斜視図であり、（ｂ）は、同上のカメラ付きインターホンユニットの斜視図である。
【図２】（ａ）は、本発明の実施形態２のカメラ付きインターホンユニットの分解斜視図であり、（ｂ）は、同上のカメラ付きインターホンユニットの通常時の概略説明図であり、（ｃ）は、同上のカメラ付きインターホンユニットの角度調整時の概略説明図である。
【図３】同上のその他のカメラ付きインターホンユニットの例を示す分解斜視図である。
【図４】（ａ）は、本発明の実施形態３のカメラ付きインターホンユニットの分解斜視図であり、（ｂ）は、同上のカメラ付きインターホンユニットの通常時の概略説明図であり、（ｃ）は、同上のカメラ付きインターホンユニットの角度調整時の概略説明図である。
【図５】（ａ）は、同上のその他のカメラ付きインターホンユニットの通常時の概略説明図であり、（ｂ）は、同上のカメラ付きインターホンユニットの角度調整時の概略説明図であり、（ｃ）は、同上のさらにその他のカメラ付きインターホンユニットのカメラ部の一部を示す概略説明図である。
【図６】（ａ）は、同上のさらにその他のカメラ付きインターホンユニットの概略説明図であり、（ｂ）は、同上のさらにその他のカメラ付きインターホンユニットの分解斜視図である。
【図７】（ａ）は、本発明の実施形態４のカメラ付きインターホンユニットの分解斜視図であり、（ｂ）は、同上のカメラ付きインターホンユニットの角度調整時の概略説明図であり、（ｃ）は、同上のその他のカメラ付きインターホンユニットの角度調整時の概略説明図である。
【図８】本発明の実施形態５のカメラ付きインターホンユニットの分解斜視図である。
【図９】従来のカメラ付きインターホンユニットの分解斜視図である。
【符号の説明】
【００８８】
１    カメラ付きインターホンユニット
２    本体部
３    ベース
３ａ  軸受け部
４    背面カバー
５    撮像カメラ部
５ｂ  レンズ部
７    取付台
７ａ  枠体
７ｂ  穴部
７ｃ  背板
７ｄ  取付部
７ｅ  軸部
７ｆ、７ｇ  突出片
７ｈ  ねじ孔
８    取付ねじ
９    スピーカ部
１０    呼び出しボタン
１１    カバー
１２    ロック片
【図１】
2005236671.tif 000003
【図２】
2005236671.tif 000004
【図３】
2005236671.tif 000005
【図４】
2005236671.tif 000006
【図５】
2005236671.tif 000007
【図６】
2005236671.tif 000008
【図７】
2005236671.tif 000009
【図８】
2005236671.tif 000010
【図９】
2005236671.tif 000011